(57)【要約】【課題】トレッド面のブロックにタイヤ幅方向のサイプを多数設けたタイヤにおいて、排水性を阻害することなく耐偏摩耗性を向上するようにした空気入りタイヤを提供する。【解決手段】トレッド面１にタイヤ周方向に延びる複数本の主溝２と、タイヤ幅方向の横溝３とでブロック４を形成し、これらブロック４にタイヤ幅方向の複数のサイプ５を設けた空気入りタイヤにおいて、サイプ５の内壁５ａ，５ｂの両側にそれぞれタイヤ幅方向に延長する複数の突条６ａ，６ｂを互いに対面し合うように配置し、突条６ａ，６ｂの高さｈをサイプ５の溝幅Ｗの２５〜５０％にすると共に、サイプ深さ方向に隣接する突条間の距離Ｌをサイプ５の溝幅Ｗの０．２５倍以上、２倍以下にしたことを特徴とする。【選択図】図２
2008290521.tif 000002
【特許請求の範囲】
【請求項１】
トレッド面にタイヤ周方向に延びる複数本の主溝と、タイヤ幅方向の横溝とでブロックを形成し、これらブロックにタイヤ幅方向の複数のサイプを設けた空気入りタイヤにおいて、
前記サイプの内壁面の両側にそれぞれタイヤ幅方向に延長する複数の突条を互いに対面し合うように配置し、該突条の高さｈを前記サイプの溝幅Ｗの２５〜５０％にすると共に、サイプ深さ方向に隣接する突条間の距離Ｌを前記サイプの溝幅Ｗの０．２５倍以上、２倍以下にした空気入りタイヤ。
【請求項２】
前記突条のサイプ深さ方向の幅を前記対面し合う突条間で互いに異ならせた請求項１に記載の空気入りタイヤ。
【請求項３】
前記突条の頂部を平面にした請求項１又は２に記載の空気入りタイヤ。
【請求項４】
前記突条の延長方向をトレッド面と平行にした請求項１，２又は３に記載の空気入りタイヤ。
【請求項５】
前記サイプ内壁面の少なくとも一方に、タイヤ幅方向に延びる細溝を形成した請求項１〜４のいずれかに記載の空気入りタイヤ。
【請求項６】
前記サイプの溝幅Ｗが０．４〜２．０ｍｍである請求項１〜５のいずれかに記載の空気入りタイヤ。
【発明の詳細な説明】
【技術分野】
【０００１】
本発明は、空気入りタイヤに関し、さらに詳しくは、トレッド面に形成したブロックにタイヤ幅方向のサイプを設けたタイヤにおいて、耐偏摩耗性と共に排水性を向上するようにした空気入りタイヤに関する。
【背景技術】
【０００２】
一般に、氷雪路走行用のスタッドレスタイヤのように、トレッド面にブロック基調のパターンを設けたタイヤでは、そのブロックにタイヤ幅方向のサイプを多数設けてエッジ効果を増大させることで氷雪路での制動・駆動性能を向上させるようにしている。しかし、ブロックにタイヤ幅方向のサイプを多数形成すると、ブロックの剛性が低くなるため、サイプにより分割された小ブロックの倒れ込みにより、偏摩耗が起りやすいという問題があった。
【０００３】
このような小ブロックの偏摩耗防止の対策として、特許文献１は、サイプ内壁面の両側に複数の突起を深さ方向に互い違いに設け、これら突起が互いに噛み合うようにすることを提案している。しかし、複数の突起が相互に噛み合う関係になっていると、小ブロックの倒れ込みを抑制して、偏摩耗の抑制効果は認められるものの、サイプ内の空間容積が減少するため排水性が悪化するという問題があった。
【特許文献１】特開２０００−１７７３３０号公報
【発明の開示】
【発明が解決しようとする課題】
【０００４】
本発明の目的は、トレッド面のブロックにタイヤ幅方向のサイプを多数設けたタイヤにおいて、排水性を阻害することなく耐偏摩耗性を向上するようにした空気入りタイヤを提供することにある。
【課題を解決するための手段】
【０００５】
上記目的を達成する本発明の空気入りタイヤは、トレッド面にタイヤ周方向に延びる複数本の主溝と、タイヤ幅方向の横溝とでブロックを形成し、これらブロックにタイヤ幅方向の複数のサイプを設けた空気入りタイヤにおいて、前記サイプの内壁面の両側にそれぞれタイヤ幅方向に延長する複数の突条を互いに対面し合うように配置し、該突条の高さｈを前記サイプの溝幅Ｗの２５〜５０％にすると共に、サイプ深さ方向に隣接する突条間の距離Ｌを前記サイプの溝幅Ｗの０．２５倍以上、２倍以下にしたことを特徴とする。
【０００６】
前記突条のサイプ深さ方向の幅は前記対面し合う突条間で互いに異ならせるようにするとよく、前記突条の頂部は平面にするとよい。また、前記突条の延長方向はトレッド面と平行にするとよく、前記前記サイプ内壁面の少なくとも一方に、タイヤ幅方向に延びる細溝を形成するようにするとよい。前記前記サイプの溝幅Ｗは０．４〜２．０ｍｍが好ましい。
【発明の効果】
【０００７】
本発明の空気入りタイヤは、サイプの内壁面の両側にそれぞれタイヤ幅方向に延長する突条を互いに対面させるように配置し、これら突条の高さｈをサイプの溝幅Ｗの２５〜５０％にしたので、このサイプを挟む小ブロックが変形しようとするとき、突条同士が当接してブロックの倒れ込みを防止するので偏摩耗を起りにくくし、かつサイプ深さ方向に隣接する突条間の距離Ｌをサイプの溝幅Ｗの０．２５倍以上、２倍以下にして、サイプ内に空間容積を確保するようにしたので、排水性を維持することができる。
【発明を実施するための最良の形態】
【０００８】
図１は、本発明の実施形態からなる空気入りタイヤに設けたトレッドパターンの一例を示す平面図である。
【０００９】
図１において、トレッド面１には、タイヤ周方向に延びる複数本の主溝２が設けられていると共に、タイヤ幅方向に複数本の横溝３が設けられており、これら主溝２と横溝３により区画された複数のブロック４が形成されている。各ブロック４には、それぞれ２本のサイプ５がタイヤ幅方向に延びるように形成されており、このサイプ５によってブロック４が３つの小ブロック４ａに区分されている。なお、サイプ５の本数及びトレッド平面視の形状は、図示のものに限定されるものではなく、本数については２以上の複数本であればよく、また平面視形状は、直線状、湾曲状、ジグザグ状又は波形状のいずれであってもよい。
【００１０】
図２に示すように、サイプ５は、溝幅Ｗとサイプ深さＤを有すると共に、その両側に略平行に対面する内壁５ａ，５ｂにそれぞれ互いに対面し合う一対の突条６ａ，６ｂがタイヤ幅方向に延長するように設けられると共に、これをサイプ深さ方向に間隔をあけて多段に設けられている。また、サイプ深さ方向に離間する突条６ａ，６ａ間のサイプ内壁面には細溝７がタイヤ幅方向に延長するように設けられている。
【００１１】
上述のようにサイプ内壁面の両側に互いに対面し合うように突条を設けたことにより、小ブロックの倒れ込みを防止するため偏摩耗を防止することができる。また、互いに対面し合う突条をサイプ深さ方向に距離Ｌを空けて配置したことにより空間を確保し排水性を向上することができる。
【００１２】
本発明において、突条６ａ，６ｂの高さｈは、サイプ５の溝幅Ｗの２５〜５０％に設定され、好ましくは４０〜４５％にする。このように突条の高さを設定したことにより、小ブロック４ａが変形したときに、対面し合う突条６ａ，６ｂが互いに当接することにより小ブロックが過度に倒れ込むのを防止する。
【００１３】
また、サイプ深さ方向に隣接する突条６ａ，６ａ間の距離Ｌは、サイプの溝幅Ｗの０．２５倍以上、２倍以下に設定され、好ましくは０．５倍以上、１倍以下であり、その下限は０．４ｍｍにするとよい。距離Ｌをこのような範囲に設定することにより、サイプ内に排水路を確保し、排水性を良好にすることができる。
【００１４】
サイプの溝幅Ｗは、好ましくは０．４〜２．０ｍｍであり、より好ましくは０．４〜１．５ｍｍにするとよい。溝幅Ｗが０．４ｍｍ未満であるとサイプの排水効果及びエッジ効果が十分に得られず、２．０ｍｍを超えるとブロック剛性の低下が大きくなる。また、サイプの深さＤは、好ましくは４ｍｍ以上、主溝の深さ以下であり、乗用車用タイヤの場合には１０ｍｍ以下にするとよい。
【００１５】
突条６ａ，６ｂのサイプ深さ方向に測定したときの幅ｔ，ｔ′は、互いに対面し合う同士が同じであってもよく、異なっていてもよいが、好ましくは互いに異ならせる方がよい。幅ｔ，ｔ′を異ならせることにより、ブロックが倒れ込み変形したときに、変形の大きさに拘わらず常に当接状態にすることができる。その両幅ｔ，ｔ′間の差としては好ましくは一方を他方の１．１倍〜１．５倍の大きさにするとよい。互いに対向する突条６ａ，６ｂの位置は、互いに同位置であってもよく、サイプ深さ方向にややずらせるようにしてもよい。
【００１６】
突条６ａ，６ｂの断面形状は、特に制限されるものでなく、例えば、矩形、台形、たいこ状、トラック状、半円状、半楕円状等を好ましく例示することができる。また、突条６ａ，６ｂの頂部の形状は、特に制限されるものではないが、好ましくは相互の当接面積を極力大きくするように平行な平面にするのがよい。突条６ａ，６ｂの断面形状が、半円状や半楕円状の場合には、その対面する頂部を平面状にした形状にすることが好ましい。
【００１７】
サイプ深さ方向に隣接する突条６ａ，６ａ間には実施形態に示したように細溝７をタイヤ幅方向に延長するように設けるとよい。この細溝７を設けることにより、排水性を一層向上することができる。
【００１８】
突条の延長方向は、タイヤ幅方向であればトレッド面に平行であっても、或いは傾斜していてもよい。すなわち、図３に例示する突条６ｂのように、トレッド面と平行に延長するようにしてもよいし、或いは、突条６ａのように、トレッド面に対して傾斜するように延長してもよい。また、互いに対向する一対の突条６ａ，６ｂは、互いに平行に延長するように形成してもよいが、互いの延長方向が交差するように形成してもよい。延長方向が互いに交差するように突条６ａ，６ｂを配置した場合は、小ブロック４ａの変形が大きくなっても、常に突条６ａ，６ｂ同士を突き合せることができるのでブロックの倒れ込みの抑制のほか、空間の維持を確実にするため排水性を一層良好にすることができる。
【００１９】
突条の延長方向をトレッド面に対し傾斜する場合は、その傾斜角度αを２０〜７０°の範囲内にすることが好ましい。傾斜角度αをこのような範囲内にすることにより、上述した傾斜させるときの効果を良好に発揮することができる。
【００２０】
サイプの内壁面の両側に、上述した突条を形成する方法は、例えばサイプを形成するブレード（サイプ成形刃）の表面に、溝を設けることによりタイヤ加硫成形時にサイプと同時に形成することができる。また、ブレードに突条の形状に対応する長穴を形成し、タイヤ加硫成形後に、ブレードを引き抜くときに長穴を埋めたゴムが切断されることにより突条を形成することができる。
【００２１】
以下、実施例によって本発明をさらに説明するが、本発明の範囲をこれらの実施例に限定されるものではない。
【実施例】
【００２２】
タイヤサイズ２０５／５５Ｒ１６で図１のブロックパターンを有し、サイプの溝幅Ｗが０．８ｍｍであることを共通条件として、サイプ内の壁面の突条の有無、突条の高さｈ、突条間の距離Ｌを表１に示すように異ならせた４種類の空気入りタイヤ（実施例１、比較例１〜３）を製作した。
【００２３】
得られた４種類の空気入りタイヤについて、下記に示す測定方法でＷＥＴ路面走行性及び耐偏摩耗性の評価を行った。
【００２４】
〔ＷＥＴ路面走行性〕
空気入りタイヤを排気量２０００ｃｃの後輪駆動の乗用車に装着し、速度４０ｋｍ／ｈで半径１００ｍの湿潤円周路を周回するときのラップタイム（秒）を計測した。
【００２５】
〔耐偏摩耗性〕
空気入りタイヤを排気量２０００ｃｃの後輪駆動の乗用車に装着し、１００００ｋｍ走行後の小ブロックのエッジの段差状の偏摩耗量（ｍｍ）を測定した。
【００２６】
【表１】
2008290521.tif 000003
【図面の簡単な説明】
【００２７】
【図１】本発明の実施形態からなる空気入りタイヤのトレッドパターンを例示する平面図である。
【図２】本発明の空気入りタイヤに設けられるサイプをタイヤ幅方向から見た要部斜視図である。
【図３】本発明の空気入りタイヤに設けられるサイプの他の実施形態をサイプ中心面から拡開して示す要部斜視図である。
【符号の説明】
【００２８】
１    トレッド面
２    主溝
３    横溝
４    ブロック
５    サイプ
５ａ，５ｂ  サイプ内壁面
６ａ，６ｂ  突条
７    細溝
【図１】
2008290521.tif 000004
【図２】
2008290521.tif 000005
【図３】
2008290521.tif 000006